(57)【特許請求の範囲】
【請求項１】
放電を生じさせる電極部及びその電極部に導通した端子部とを備える放電ユニットと、その放電ユニットに前記端子部を介して電気的に接続される電源部と、前記電極部が内装され被処理ガスが流通可能なガス流通部とを具備する脱臭用放電装置であって、
前記放電ユニットの前記端子部が、前記ガス流通部を形成する隔壁の外部に配置されると共に、
前記放電ユニットが、前記端子部の他端側に電極の存在しない絶縁部を設けたものであって、前記隔壁に設けた挿通口に挿通された状態で配置されるとともに、前記ガス流通部が外部より低圧にしてあり、
前記挿通口の複数を、前記ガス流通部を挟んで互いに対向するように、前記隔壁に設けて、前記絶縁部と前記端子部とが前記隔壁の外部に配置されるように、前記放電ユニットを前記挿通口の各々に挿通した状態で配置しつつ、
前記端子部を着脱可能に挾持する端子挾持部を設けて、前記端子部を挾持してある脱臭用放電装置。
【請求項２】
前記端子部間の絶縁性を向上する為に、前記端子部を構成する各端子を離隔して、かつ電極部に影響しない範囲において、前記各端子間に切欠部を設けてある請求項１記載の脱臭用放電装置。
【発明の詳細な説明】
【０００１】
【発明の属する技術分野】
本発明は、放電を生じさせる電極部及びその電極部に導通した端子部とを備える放電ユニットと、その放電ユニットに前記端子部を介して電気的に接続される電源部と、前記電極部が内装され被処理ガスが流通可能なガス流通部とを具備する脱臭用放電装置に関する。
【０００２】
【従来の技術】
従来より、この種の脱臭用放電装置は、硫黄化合物等の有機系の臭気成分を酸化するための活性酸素やオゾン等の酸化性活性気体を、放電により発生させるための装置として用いられている。そして、脱臭用放電装置は、図５及び図６に示すように、放電ユニット１０をガス流通部１内に配置し、電極部１１で生成した新鮮なオゾンに被処理ガス中の臭気成分を接触させるようにして、オゾンと同時に生成する活性酸素によっても前記臭気成分を酸化できるように構成してある。
【０００３】
その際、放電ユニット１０は、電極部１１に導通した端子部１２を介して、ガイド棒２の金属部にハンダ付けされるなどして、電源部へと電気的に接続されていた。そして、放電を行いながら被処理ガスを流通させると、放電ユニット１０のうち被処理ガスとの接触面に塩類が付着することが知られていた。
【０００４】
【発明が解決しようとする課題】
しかしながら、上記のような構造では、通常、端子部１２はガス流通部の空間内で露出した状態になっており、各端子間には誘電体等の基板が存在するため、各端子間の基板表面に付着した塩類が、放電に支障をきたす場合が生じた。
即ち、かかる塩類は潮解性であり、その吸湿により各端子間、即ち電極間の電気抵抗が小さくなって、通電し絶縁破壊による放電停止が起こる場合があった。また、絶縁破壊に至らないまでも電極間の静電容量を増大させ、その結果放電が停止することが頻繁に生じた。
【０００５】
そして、かかる塩類の付着は、放電ユニット１０を取り外して洗浄することにより、除去することができるが、高電圧のかかる部位故、電源スイッチの切り忘れによる感電事故の恐れがあった。
また、１個の放電電極の洗浄には約１時間程度必要とされ、また、複数の放電電極を有する場合には、その数だけ洗浄のための時間が必要となり負担が大きく、一方、いずれの場合も、その間装置を停止する必要があり、実用上の大きな問題であった。
【０００６】
従って、本発明の目的は、上記に鑑みて、放電ユニットの端子部周辺に塩類が付着するのを防止して、放電を良好に維持できる脱臭用放電装置を提供することにある。
【０００７】
【課題を解決するための手段】
上記目的を達成するための本発明の特徴構成は、放電を生じさせる電極部及びその電極部に導通した端子部とを備える放電ユニットと、その放電ユニットに前記端子部を介して電気的に接続される電源部と、前記電極部が内装され被処理ガスが流通可能なガス流通部とを具備する脱臭用放電装置において、前記放電ユニットの前記端子部が、前記ガス流通部を形成する隔壁の外部に配置されると共に、前記放電ユニットが、前記端子部の他端側に電極の存在しない絶縁部を設けたものであって、前記隔壁に設けた挿通口に挿通された状態で配置されるとともに、前記ガス流通部が外部より低圧にしてあり、前記挿通口の複数を、前記ガス流通部を挟んで互いに対向するように、前記隔壁に設けて、前記絶縁部と前記端子部とが前記隔壁の外部に配置されるように、前記放電ユニットを前記挿通口の各々に挿通した状態で配置しつつ、前記端子部を着脱可能に挾持する端子挾持部を設けて、前記端子部を挾持してあることにある。
【０００８】
上記構成において、前記端子部間の絶縁性を向上する為に、前記端子部を構成する各端子を離隔して、かつ電極部に影響しない範囲において、前記各端子間に切欠部を設けてあることが後述の作用効果より好ましい。
【０００９】
その際、前記各端子間の前記切欠部に、前記放電ユニットとは非接触に絶縁体を介在させてあることが後述の作用効果より好ましい。
【００１０】
また、上記構成において、前記放電ユニットが、前記端子部の他端側に電極の存在しない絶縁部を設けたものであり、前記隔壁の前記挿通口を対向する位置に設けて、前記絶縁部が前記隔壁の外部に配置されるように、前記放電ユニットを挿通した状態で配置しつつ、前記端子部を着脱可能に挾持する端子挾持部を設けて、前記端子部を挾持してあることが後述の作用効果より好ましい。
【００１１】
〔作用効果〕
そして、本発明の上記特徴構成によれば、前記放電ユニットの前記端子部が、前記ガス流通部を形成する隔壁の外部に配置されているため、前記端子部の各端子の近傍や各端子間に、被処理ガスが接触しにくいので、その部分に前記の塩類が付着しにくくなる。そのため、前述のような放電への支障をきたしにくくなり、放電が良好に維持できる。
また、前記放電ユニットが、前記隔壁に設けた挿通口に挿通された状態で配置されるとともに、前記ガス流通部が外部より低圧にしてあるため、
通常、かかる挿通口と放電ユニットとの間には、特にシールを行わない限り、間隙が存在するので、被処理ガスが外部に漏れて前記端子部近傍に付着するおそれがあるが、前記ガス流通部が外部より低圧にしてあるので、被処理ガスが外部に漏れることなく、外部での塩類の付着をより確実に防止することができる。
その結果、放電ユニットの端子部周辺に塩類が付着するのを防止して、放電を良好に維持できる脱臭用放電装置を提供することができた。
【００１２】
更に、前記端子部間の絶縁性を向上する為に、前記端子部を構成する各端子を離隔して、かつ電極部に影響しない範囲において、前記各端子間に切欠部を設けてある場合、
切欠部には塩類が付着のしようがなく、切欠部を迂回した形で塩類が付着しても迂回経路が長くなる分だけ、塩類の付着による弊害を少なくすることができる。
【００１３】
その際、前記各端子間の前記切欠部に、前記放電ユニットとは非接触に絶縁体を介在させてあると、切欠部における空間放電を絶縁体で防止することができ、脱臭に寄与しない電力を消費を少なくすることができる。また、絶縁体は非接触に介在させてあるので、絶縁体に塩類が付着しても通電等を回避することができる。
【００１４】
また、前記端子部の他端側に電極の存在しない絶縁部を設けて、絶縁部と端子部とを隔壁の外部に配置してあるため、その絶縁部を感電の恐れなく把持することができ、挿通口の複数を、ガス流通部を挟んで互いに対向するように、隔壁に設けて、前記放電ユニットを挿通口の各々に挿通した状態で配置し、しかも前記端子部を着脱可能に挾持する端子挾持部を設けて、前記端子部を挾持してあるため、上記の絶縁部を把持して放電ユニットを挿通口から着脱して、放電ユニットの交換等を行うのが容易になる。
【００１５】
【発明の実施の形態】
以下に本発明の実施の形態を図面に基づいて説明する。
本発明の脱臭用放電装置は、例えば図１〜図４に示すように、放電を生じさせる電極部１１及びその電極部１１に導通した端子部１２とを備える放電ユニット１０と、その放電ユニット１０に端子部１２を介して電気的に接続される電源部と、電極部１１が内装され被処理ガスが流通可能なガス流通部１とを具備する脱臭用放電装置において、放電ユニット１０の端子部１２が、ガス流通部１を形成する隔壁３の外部に配置されたことを特徴とするものである。従って、電極部１１と端子部１２とを備える放電ユニット１０、電源部、並びにガス流通部１などは、通常の脱臭用放電装置において採用されるものを、いずれも採用することができる。
【００１６】
まず、放電ユニット１０について説明すると、図４に示すように、端子部１２が放電ユニット１０の一端側に設けられると共に、端子部を構成する各端子１２ａ，１２ｂを離隔してその間に切欠部１３が設けられている。
放電ユニット１０は、裏表両面に金属層（銅、銀等）を有する誘電体（セラミックス、樹脂等）よりなる平板状の基板１４に、エッチング等により電極部１１及び端子部１２を形成したものである。放電ユニット１０に端子部１２を介して電源部と電気的に接続され、高電圧（高周波高電圧、パルス電圧等）が印加される。
【００１７】
その際、端子１２ａ及び電極１１ａは沿面放電を行うための放電側になり、櫛型をした電極１１ａがガス流通部１に露出した状態で配置される。なお、放電は、電極１１ａの周辺の基板１４表面に沿った部分で行われる。また、端子１２ｂ及び電極１１ｂは誘導電極側になり、テフロンシート等の絶縁体で被覆されて、電極１１ｂがガス流通部１に露出しない状態で配置される。このような絶縁体による被覆により、電極部１１への塩類の付着の影響を小さくしている。なお、誘電体の内部に電極１１ｂを埋め込んであってもよい。
【００１８】
各端子１２ａ，１２ｂの間には、長方形の切欠部１３が設けられており、図１のように配置した状態で、切欠部１３の一番深い部分１３ａが、ガス流通部１を形成する隔壁３の内部に来るような大きさにしてある。切欠部１３は、外部に配置した各端子１２ａ，１２ｂの間に、塩類が付着するのをより確実に防止して、絶縁性をより向上するものであり、その形状、大きさは、塩類が付着する部分を介しての各端子１２ａ，１２ｂ間の導通の影響が、小さくなるようにするほど効果的である。
【００１９】
また、端子部１２の他端側には、電極の存在しない絶縁部１４ａを設けてあり、図１のように配置した状態で、絶縁部１４ａが隔壁３の外部にくるような大きさにしてある。本実施形態では、基板１４の電極の存在しない部分を絶縁部１４ａとして、一体に形成してあるが、絶縁部１４ａを放電ユニット１０に別に取りつけて形成してもよい。
【００２０】
次に上記放電ユニット１０の配置状態について説明する。図１、図２に示すように、断面矩形の筒状体を隔壁３により形成し、その内部をガス流通部１としてあり、その隔壁３にスリット状の挿通口３ａを対向する位置に設けて、端子部１２及び絶縁部１４ａが隔壁３の外部になり、電極部１１が内部になるように、放電ユニット１０を挿通口３ａに挿通した状態で配置してある。
【００２１】
上記の際、端子部１２の側には、端子部１２を着脱可能に挾持する端子挾持部４を設けて、端子部１２を挾持させ、放電ユニット１０の支持固定を兼用している。端子挾持部４は、例えば挿通口３ａへの挿入する際の押し込み力だけで端子部１２を挾持できるコネクタや、ネジ締めにより端子部１２を挾持できるクランプなどが用いられる。なお、端子挾持部４は支持部５に固定されている。
そして、切欠部１３には放電ユニット１０とは非接触状態で、平板状の絶縁体６を介在させてあり、これが各端子１２ａ，１２ｂの間の空間放電を防止するようになっている。
【００２２】
上記において、ガス流通部１は下流側に配設されて誘引送風機等により、吸引されて被処理ガスを流通可能にしてあり、ガス流通部１は外部より低圧になっている。即ち、本実施形態では、挿通口３ａから外気が少量づつ流入するようになっており、隔壁３の外部に塩類が付着しにくい構造になっているが、ゴム等の圧接により挿通口３ａと放電ユニット１０との間隙をシールするシール部などを設けてもよい。その場合、ガス流通部１は外部より低圧にしなくてもよい。
【００２３】
〔別実施形態〕
以下、本発明の他の実施形態について説明する。
【００２４】
〈１〉先の実施形態では、沿面放電を行うための放電ユニット１０を用いる例を示したが、電極間の空間部に、その空間部の幅より薄い誘電体を介在させて無声放電を行うように構成してもよい。また、誘電体を用いずに空間放電を行うように構成してもよい（但し、放電点を広く形成しにくい）。
つまり、放電ユニット１０が、放電を生じさせる電極部１１及びその電極部１１に導通した端子部１２とを備え、端子部１２の各端子１２ａ，１２ｂの間で塩類の付着が問題になるような形式のもの、即ち、絶縁体等に付着した塩類を介して各端子１２ａ，１２ｂの間で導通等が生じ得る構造のものであれば、いずれの放電形式であっても、本発明の効果が得られる。
【００２５】
〈２〉先の実施形態では、電極部１１の洗浄手段を設けない例を示したが、電極部１１の放電側の電極１１ａ面に対して、水や洗浄液を噴霧して洗浄する洗浄手段を設けてもよい。その場合、水分を蒸発するための乾燥手段や、水分を排出するための排水手段を設けてもよい。
上記のように構成すると、電極部１１に塩類が付着して、放電に支障をきたしても、その部分を洗浄して放電ユニット１０を交換せずに洗浄することができる。
【００２６】
〈３〉先の実施形態では、放電ユニット１０が１枚の基板１４で構成されている例を示したが、複数の基板１４で構成されているものであってもよい。その場合、各基板１４ごとに端子部１２を形成してもよいが、複数の基板１４の電極部１１に導通した端子部１２を形成してもよい。
上記のように構成すると、放電の起こる面積が増加して、脱臭能力を高めることができる。
【００２７】
〈４〉先の実施形態では、端子部１２を構成する各端子１２ａ，１２ｂを離隔してその間に切欠部１３を設けてある例を示したが、切欠部１３を特に設けなくても、塩類の付着をある程度、防止できるのは当然である。
【図面の簡単な説明】
【図１】脱臭用放電装置の一例を示す平面図
【図２】脱臭用放電装置の一例を示す縦断面図
【図３】脱臭用放電装置の一例を示す組立図
【図４】脱臭用放電装置の一例を示す図であり、（ａ）は平面図、（ｂ）は断面図
【図５】従来の脱臭用放電装置を示す平面図
【図６】従来の脱臭強放電装置を示す縦断面図
【符号の説明】
１      ガス流通部
３      隔壁
３ａ    挿通口
６      絶縁体
４      端子挾持部
１０    放電ユニット
１１    電極部
１２    端子部
１２ａ  端子
１２ｂ  端子
１３    切欠部
１４ａ  絶縁部
【図１】
0003948788.tif 000002
【図２】
0003948788.tif 000003
【図３】
0003948788.tif 000004
【図４】
0003948788.tif 000005
【図５】
0003948788.tif 000006
【図６】
0003948788.tif 000007